(57)【要約】【課題】特定の地域からの口座開設の申込を制限することなく、特定の地域からの不正な申込を有効に防止できるようにする。【解決手段】申込データを入力する申込データ入力部１１と、証明書データを入力するカメラ１３と、ＩＰアドレスを取得する端末情報取得部１５と、申込データ、証明書データ及びＩＰアドレスを送信する送信部１６とを備えた携帯端末装置１０と、送信部１６から送信される申込データ、証明書データ及びＩＰアドレスを受信する受信部２１と、証明書データの真偽を判定する真偽判定部２２と、ＩＰアドレスが所定の範囲にあるか否かをチェックする端末識別情報チェック部２３と、申込データ、証明書データに端末識別情報チェック部２３のチェック結果を付加したサービス利用登録候補データを送信する送信部２６を備えて申込登録サーバー２０とを備えた不正申込防止システム。【選択図】図２
2017215815.tif 000002
【特許請求の範囲】
【請求項１】
申込者の端末装置からサービス利用の申し込みに必要なデータを入力し、該データに基づいてサービス利用の申込登録を行うシステムにおいて、
前記端末装置を識別する端末識別情報を取得する端末識別情報取得手段と、
サービス利用の申込データを入力する申込データ入力手段と、
サービス利用に必要な証明書データを入力する証明書データ入力手段と、
前記端末識別情報取得手段が取得した前記端末識別情報、前記申込データ入力手段から入力される申込データ及び前記証明書データ入力手段から入力される証明書データを送信する第１の送信手段と
を備えた端末装置と、
前記第１の送信手段から送信される前記端末識別情報、前記申込データ及び前記証明書データを受信する第１の受信手段と、
前記第１の受信手段が受信した前記端末識別情報が所定の範囲にあるか否かをチェックする端末識別情報チェック手段と、
前記第１の受信手段が受信した前記証明書データの真偽を判定する真偽判定手段と、
前記第１の受信手段が受信した前記申込データ及び前記証明書データに、前記端末識別情報チェック手段のチェック結果と前記真偽判定手段の判定結果を付加したサービス利用登録候補データを出力するサービス利用登録候補データ出力手段と
を備えた申込登録サーバーと、
を備えたことを特徴とする不正申込防止システム。
【請求項２】
前記端末装置は携帯端末装置であり、前記証明書データ入力手段は該携帯端末装置に取り付けられたカメラであることを特徴とする請求項１記載の不正申込防止システム。
【請求項３】
前記証明書データは、前記カメラで撮影された運転免許証の画像データであることを特徴とする請求項２記載の不正申込防止システム。
【請求項４】
前記サービス利用登録候補データ出力手段は、前記サービス利用登録候補データを送信する第２の送信手段であることを特徴とする請求項１乃至請求項３のいずれかに記載した不正申込防止システム。
【請求項５】
前記申込登録サーバーは前記第１の受信手段が受信した前記申込データを記憶する申込データ記憶手段をさらに備えたことを特徴とする請求項１乃至請求項４のいずれかに記載した不正申込防止システム。
【請求項６】
申込者の端末装置からサービス利用の申し込みに必要なデータを入力し、該データに基づいてサービス利用の申込登録を行うシステムにおいて、
前記端末装置を識別する端末識別情報を取得する端末識別情報取得手段と、
サービス利用の申込データを入力する申込データ入力手段と、
サービス利用に必要な証明書データを入力する証明書データ入力手段と、
前記端末識別情報取得手段が取得した前記端末識別情報、前記申込データ入力手段から入力される申込データ及び前記証明書データ入力手段から入力される証明書データを送信する第１の送信手段と
を備えた端末装置と、
前記第１の送信手段から送信される前記端末識別情報、前記申込データ及び前記証明書データを受信する第１の受信手段と、
前記第１の受信手段が受信した前記端末識別情報が所定の範囲にあるか否かをチェックする端末識別情報チェック手段と、
前記第１の受信手段が受信した前記証明書データの真偽を判定する真偽判定手段と、
前記第１の受信手段が受信した前記申込データ及び前記証明書データに、前記端末識別情報チェック手段のチェック結果と前記真偽判定手段の判定結果を付加したサービス利用登録候補データを送信する第２の送信手段と
を備えた申込登録サーバーと、
前記第２の送信手段から送信されるサービス利用登録候補データを受信する第２の受信手段と、
前記第２の受信手段が受信した前記サービス利用登録候補データの前記チェック結果に基づいて注意を喚起する情報を生成する注意喚起情報生成手段と、
前記第２の受信手段が受信した前記サービス利用登録候補データをサービス利用登録データとするか否かを選択するデータ選択手段と
を備えたサービス利用登録サーバーと、
を備えたことを特徴とする不正申込防止システム。
【請求項７】
前記サービス利用登録サーバーは、前記データ選択手段が選択した前記サービス利用登録データを記憶するサービス利用登録データ記憶手段と、このサービス利用登録データ記憶手段に記憶された前記サービス利用登録データに基づいてカード発行データを生成するカード発行データ生成手段をさらに備えた請求項６記載の不正申込防止システム。
【請求項８】
前記サービス利用は、口座開設、クレジットカードの利用、ローンカードの利用のいずれかであることを特徴とする請求項１乃至請求項７のいずれかに記載した不正申込防止システム。
【請求項９】
前記端末識別情報は、前記端末装置に設定されたＩＰアドレスであることを特徴とする請求項１乃至請求項８のいずれかに記載した不正申込防止システム。
【請求項１０】
前記端末識別情報チェック手段は、前記端末装置に設定されたＩＰアドレスが日本国に割り当てられたＩＰアドレスか否かをチェックすることを特徴とする請求項９記載の不正申込防止システム。
【請求項１１】
申込者の端末装置から入力されたサービス利用の申し込みに必要なデータを取得し、該データに基づいてサービス利用の申込登録を行う申込登録サーバーであって、
前記端末装置から送信される前記端末装置を識別する端末識別情報、及びサービス利用に必要な申込データと証明書データを受信する第１の受信手段と、
前記第１の受信手段が受信した前記端末識別情報が所定の範囲にあるか否かをチェックする端末識別情報チェック手段と、
前記第１の受信手段が受信した前記証明書データの真偽を判定する真偽判定手段と、
前記第１の受信手段が受信した前記申込データ及び前記証明書データに、前記端末識別情報チェック手段のチェック結果と前記真偽判定手段の判定結果を付加したサービス利用登録候補データを出力するサービス利用登録候補データ出力手段と
を備えたことを特徴とする申込登録サーバー。
【請求項１２】
前記証明書データは、前記端末装置に取り付けられたカメラで撮影された運転免許証の画像データであることを特徴とする請求項１１記載の申込登録サーバー。
【請求項１３】
前記サービス利用登録候補データ出力手段は、前記サービス利用登録候補データを送信する第２の送信手段であることを特徴とする請求項１１又は請求項１２記載の申込登録サーバー。
【請求項１４】
前記申込登録サーバーは前記第１の受信手段が受信した前記申込データを記憶する申込データ記憶手段をさらに備えたことを特徴とする請求項１１乃至請求項１３のいずれかに記載した申込登録サーバー。
【請求項１５】
前記サービス利用は、口座開設、クレジットカードの利用、ローンカードの利用のいずれかであることを特徴とする請求項１１乃至請求項１４のいずれかに記載した申込登録サーバー。
【請求項１６】
前記端末識別情報は、前記端末装置に設定されたＩＰアドレスであることを特徴とする請求項１１乃至請求項１５のいずれかに記載した申込登録サーバー。
【請求項１７】
前記端末識別情報チェック手段は、前記端末装置に設定されたＩＰアドレスが日本国に割り当てられたＩＰアドレスか否かをチェックすることを特徴とする請求項１６記載の申込登録サーバー。
【請求項１８】
申込者の端末装置から入力されるサービス利用の申し込みに必要なデータに基づいてサービス利用の申込登録を行う方法において、
端末識別情報取得手段が前記端末装置を識別する端末識別情報を取得し、
申込データ入力手段がサービス利用の申込データを入力し、
証明書データ入力手段がサービス利用に必要な証明書データを入力し、
第１の送信手段が、前記端末識別情報取得手段が取得した前記端末識別情報、前記申込データ入力手段から入力される申込データ及び前記証明書データ入力手段から入力される証明書データを送信し、
第１の受信手段が、前記第１の送信手段から送信される前記端末識別情報、前記申込データ及び前記証明書データを受信し、
端末識別情報チェック手段が、前記第１の受信手段が受信した前記端末識別情報が所定の範囲にあるか否かをチェックし、
真偽判定手段が、前記第１の受信手段が受信した前記証明書データの真偽を判定し、
サービス利用登録候補データ出力手段が、前記第１の受信手段が受信した前記申込データ及び前記証明書データに、前記端末識別情報チェック手段のチェック結果と前記真偽判定手段の判定結果を付加したサービス利用登録候補データを出力する
ステップを備えたことを特徴とする不正申込防止方法。
【請求項１９】
申込者の端末装置から入力されるサービス利用の申し込みに必要なデータに基づいてサービス利用の申込登録を行う方法において、
端末識別情報取得手段が前記端末装置を識別する端末識別情報を取得し、
申込データ入力手段がサービス利用の申込データを入力し、
証明書データ入力手段がサービス利用に必要な証明書データを入力し、
第１の送信手段が、前記端末識別情報取得手段が取得した前記端末識別情報、前記申込データ入力手段から入力される申込データ及び前記証明書データ入力手段から入力される証明書データを送信し、
第１の受信手段が、前記第１の送信手段から送信される前記端末識別情報、前記申込データ及び前記証明書データを受信し、
端末識別情報チェック手段が、前記第１の受信手段が受信した前記端末識別情報が所定の範囲にあるか否かをチェックし、
真偽判定手段が、前記第１の受信手段が受信した前記証明書データの真偽を判定し、
第２の送信手段が、前記第１の受信手段が受信した前記申込データ及び前記証明書データに、前記端末識別情報チェック手段のチェック結果と前記真偽判定手段の判定結果を付加したサービス利用登録候補データを送信し、
第２の受信手段が前記第２の送信手段から送信されるサービス利用登録候補データを受信し、
注意喚起情報生成手段が、前記第２の受信手段が受信した前記サービス利用登録候補データの前記チェック結果に基づいて注意を喚起する情報を生成し、
データ選択手段が、前記第２の受信手段が受信した前記サービス利用登録候補データをサービス利用登録データとするか否かを選択する
ステップを備えたことを特徴とする不正申込防止方法。
【請求項２０】
サービス利用登録データ記憶手段が、前記データ選択手段が選択した前記サービス利用登録データを記憶し、
カード発行データ生成手段が、前のサービス利用登録データ記憶手段に記憶された前記サービス利用登録データに基づいてカード発行データを生成する
ステップをさらに備えた請求項１９記載の不正申込防止方法。
【請求項２１】
申込者の端末装置から入力されるサービス利用の申し込みに必要なデータに基づいてサービス利用の申込登録を行う方法において、
第１の受信手段が、前記端末装置から送信される前記端末装置を識別する端末識別情報、及びサービス利用に必要な申込データと証明書データを受信し、
端末識別情報チェック手段が、前記第１の受信手段が受信した前記端末識別情報が所定の範囲にあるか否かをチェックし、
真偽判定手段が、前記第１の受信手段が受信した前記証明書データの真偽を判定し、
サービス利用登録候補データ出力手段が、前記第１の受信手段が受信した前記申込データ及び前記証明書データに、前記端末識別情報チェック手段のチェック結果と前記真偽判定手段の判定結果を付加したサービス利用登録候補データを出力する
ステップを備えたことを特徴とする不正申込防止方法。
【請求項２２】
申込データ記憶手段が、前記第１の受信手段が受信した前記申込データを記憶するステップをさらに備えたことを特徴とする請求項１８乃至請求項２１のいずれかに記載した不正申込防止方法。
【請求項２３】
前記証明書データは、前記端末装置に取り付けられたカメラで撮影された運転免許証の画像データであることを特徴とする請求項１８乃至請求項２２のいずれかに記載した不正申込防止方法。
【請求項２４】
前記サービス利用は、口座開設、クレジットカードの利用、ローンカードの利用のいずれかであることを特徴とする請求項１８乃至請求項２３のいずれかに記載した不正申込防止方法。
【請求項２５】
前記端末識別情報は、前記端末装置に設定されたＩＰアドレスであることを特徴とする請求項１８乃至請求項２４のいずれかに記載した不正申込防止方法。
【請求項２６】
前記端末識別情報チェック手段が、前記第１の受信手段が受信した前記端末識別情報が所定の範囲にあるか否かをチェックするステップは、前記端末識別情報チェック手段が、前記第１の受信手段が受信したＩＰアドレスが日本国に割り当てられたＩＰアドレスか否かをチェックするステップであることを特徴とする請求項２５記載の不正申込防止方法。
【請求項２７】
請求項１８乃至請求項２６のいずれかに記載した不正申込防止方法をコンピュータに実行させるプログラム。
【発明の詳細な説明】
【技術分野】
【０００１】
本発明は、申込者の端末装置から入力される申込データに基づいて各種口座開設、クレジットカードやローンカードの利用等のサービスを利用するための申込登録を行うシステムにおける不正申込防止システム、申込登録サーバー、不正申込防止方法及びプログラムに関するものである。
【背景技術】
【０００２】
銀行、証券会社、保険会社、カード会社等は、利用者に対して各種サービスを提供しているが、そのサービスを受けるには、利用者は、サービスを提供する銀行等に口座を開設したりカード利用等の申込をする必要がある。そのような口座開設やカード利用等の申込をするに際しては、所定の事項を記載した申込書を提出すると共に、申込者の本人確認のために運転免許証等の証明書の提示が必要となる。そして、提示された証明書の真偽がチェックされ、真正であれば口座開設やカード発行等に至る一連の手続が行われる。
近年、コンピュータ技術等の発展により、このような申し込みから口座開設やカード発行等の手続を自動化した各種システムが開発されている。
例えば、特開２０１３−２５５７１号公報（特許文献１）には、申込データと本人確認データを入力する入力端末と、本人確認データの真贋判定等を行う本人確認システムと、本人確認データが真正の場合に申込データから発行データを生成する管理システムと、カード発行端末を有するカード発行システムが開示されている。
このカード発行システムにおいては、入力端末から入力される本人確認データが真正であるか否かを、真贋判定ロジックテンプレート等を使用して判定し、真正であると判定された場合に、管理システムによる発行データの生成が行われる。
また、最近の携帯端末機器の普及により、携帯端末機器を使用した口座開設申込システムも開発されている。
この携帯端末機器を使用した口座開設申込システムにおいては、申込者本人が銀行等の窓口に出向くことなく、携帯端末機器から本人確認データと申込データが入力されて銀行側のサーバー等に送信され、特許文献１に記載されたような本人確認データの真贋判定等が行われ、本人確認データが真正の場合に口座が開設される。
【０００３】
しかしながら、特許文献１のカード発行システムや上記携帯端末機器を使用した口座開設申込システムにおいては、真贋判定ロジックテンプレート等を使用して本人確認データが真正であるか否かを判定するため、悪意の申込者が、真贋判定ロジックテンプレート等では正当と判定されるような偽造した本人確認データを用いて口座申込を行った場合、口座を開設することができ、偽造した本人確認データを用いた悪意のある申込者の不正な口座申込を有効に防止できないという問題が生じていた。
ところで、このような偽造した本人確認データを用いた悪意のある申込者による申込は、外国等の特定の地域からの行われることが多いのが実情である。
この点、非特許文献１の国外IPアドレスフィルタには、海外からの不正なアクセスを防ぐため、国外IPアドレスからの特定のアクセスを制限するシステムが開示されている。
この場合、非特許文献１に示されているような国外IPアドレスフィルタを使用して、外国等の特定の地域からの申込を一律に制限することも可能である。
しかしながら、非特許文献１の国外IPアドレスフィルタのように、外国等の特定の地域からの申込を一律に制限すると、正当な本人確認データを用いて口座申込を行おうとする善意の申込者の申込も制限され、口座を開設してサービスを提供している側にとっては、顧客獲得の機会を失うという大きな問題が生ずる。
【先行技術文献】
【特許文献】
【０００４】
【特許文献１】特開２０１３−２５５７１号公報
【非特許文献】
【０００５】
【非特許文献１】“国外IPアドレスフィルタ”、［online］、［平成２８年４月１１日検索］、インターネット＜https://help.sakura.ad.jp/app/answers/detail/a_id/2258/~/＞
【発明の概要】
【発明が解決しようとする課題】
【０００６】
本発明が解決しようとする課題は、申込者の端末装置から口座開設やカード利用等のサービス利用の申し込みに必要なデータを入力し、このデータに基づいて口座開設やカード利用等のサービス利用の申込登録を行うシステムにおいて、特定の地域からの口座開設の申込を制限することなく、特定の地域からの不正な申込を有効に防止できるようにすることである。
【課題を解決するための手段】
【０００７】
本発明は、申込者の端末装置からサービス利用の申し込みに必要なデータを入力し、該データに基づいてサービス利用の申込登録を行うシステムにおいて、前記端末装置を識別する端末識別情報を取得する端末識別情報取得手段と、サービス利用の申込データを入力する申込データ入力手段と、サービス利用に必要な証明書データを入力する証明書データ入力手段と、前記端末識別情報取得手段が取得した前記端末識別情報、前記申込データ入力手段から入力される申込データ及び前記証明書データ入力手段から入力される証明書データを送信する第１の送信手段とを備えた端末装置と、前記第１の送信手段から送信される前記端末識別情報、前記申込データ及び前記証明書データを受信する第１の受信手段と、  前記第１の受信手段が受信した前記端末識別情報が所定の範囲にあるか否かをチェックする端末識別情報チェック手段と、前記第１の受信手段が受信した前記証明書データの真偽を判定する真偽判定手段と、前記第１の受信手段が受信した前記申込データ及び前記証明書データに、前記端末識別情報チェック手段のチェック結果と前記真偽判定手段の判定結果とを付加したサービス利用登録候補データを出力するサービス利用登録候補データ出力手段とを備えた申込登録サーバーとを備えた不正申込防止システムを提供して、上記課題を解決するものである。
【０００８】
本発明は、前記端末装置は携帯端末装置であり、前記証明書データ入力手段は該携帯端末装置に取り付けられたカメラである不正申込防止システムを提供して、上記課題を解決するものである。
【０００９】
本発明は、前記証明書データは、前記カメラで撮影された運転免許証の画像データである不正申込防止システムを提供して、上記課題を解決するものである。
【００１０】
本発明は、前記サービス利用登録候補データ出力手段は、前記サービス利用登録候補データを送信する第２の送信手段である不正申込防止システムを提供して、上記課題を解決するものである。
【００１１】
本発明は、前記申込登録サーバーは前記第１の受信手段が受信した前記申込データを記憶する申込データ記憶手段をさらに備えた不正申込防止システムを提供して、上記課題を解決するものである。
【００１２】
本発明は、申込者の端末装置からサービス利用の申し込みに必要なデータを入力し、該データに基づいてサービス利用の申込登録を行うシステムにおいて、前記端末装置を識別する端末識別情報を取得する端末識別情報取得手段と、サービス利用の申込データを入力する申込データ入力手段と、サービス利用に必要な証明書データを入力する証明書データ入力手段と、前記端末識別情報取得手段が取得した前記端末識別情報、前記申込データ入力手段から入力される申込データ及び前記証明書データ入力手段から入力される証明書データを送信する第１の送信手段とを備えた端末装置と、前記第１の送信手段から送信される前記端末識別情報、前記申込データ及び前記証明書データを受信する第１の受信手段と、  前記第１の受信手段が受信した前記端末識別情報が所定の範囲にあるか否かをチェックする端末識別情報チェック手段と、前記第１の受信手段が受信した前記証明書データの真偽を判定する真偽判定手段と、前記第１の受信手段が受信した前記申込データ及び前記証明書データに、前記端末識別情報チェック手段のチェック結果と前記真偽判定手段の判定結果を付加したサービス利用登録候補データを送信する第２の送信手段とを備えた申込登録サーバーと、前記第２の送信手段から送信されるサービス利用登録候補データを受信する第２の受信手段と、前記第２の受信手段が受信した前記サービス利用登録候補データの前記チェック結果に基づいて注意を喚起する情報を生成する注意喚起情報生成手段と、前記第２の受信手段が受信した前記サービス利用登録候補データをサービス利用登録データとするか否かを選択するデータ選択手段とを備えたサービス利用登録サーバーとを備えた不正申込防止システムを提供して、上記課題を解決するものである。
【００１３】
本発明は、前記サービス利用登録サーバーは、前記データ選択手段が選択した前記サービス利用登録データを記憶するサービス利用登録データ記憶手段と、このサービス利用登録データ記憶手段に記憶された前記サービス利用登録データに基づいてカード発行データを生成するカード発行データ生成手段をさらに備えた不正申込防止システムを提供して、上記課題を解決するものである。
【００１４】
本発明は、前記サービス利用は、口座開設、クレジットカードの利用、ローンカードの利用のいずれかであることを特徴とする不正申込防止システムを提供して、上記課題を解決するものである。
【００１５】
本発明は、前記端末識別情報は、前記端末装置に設定されたＩＰアドレスである不正申込防止システムを提供して、上記課題を解決するものである。
【００１６】
本発明は、前記端末識別情報チェック手段は、前記端末装置に設定されたＩＰアドレスが日本国に割り当てられたＩＰアドレスか否かをチェックする不正申込防止システムを提供して、上記課題を解決するものである。
【００１７】
本発明は、申込者の端末装置から入力されたサービス利用の申し込みに必要なデータを取得し、該データに基づいてサービス利用の申込登録を行う申込登録サーバーであって、  前記端末装置から送信される前記端末装置を識別する端末識別情報、及びサービス利用に必要な申込データと証明書データを受信する第１の受信手段と、前記第１の受信手段が受信した前記端末識別情報が所定の範囲にあるか否かをチェックする端末識別情報チェック手段と、前記第１の受信手段が受信した前記証明書データの真偽を判定する真偽判定手段と、前記第１の受信手段が受信した前記申込データ及び前記証明書データに、前記端末識別情報チェック手段のチェック結果と前記真偽判定手段の判定結果を付加したサービス利用登録候補データを出力するサービス利用登録候補データ出力手段とを備えた申込登録サーバーを提供して、上記課題を解決するものである。
【００１８】
本発明は、前記証明書データは、前記端末装置に取り付けられたカメラで撮影された運転免許証の画像データである申込登録サーバーを提供して、上記課題を解決するものである。
【００１９】
本発明は、前記サービス利用登録候補データ出力手段は、前記サービス利用登録候補データを送信する第２の送信手段である申込登録サーバーを提供して、上記課題を解決するものである。
【００２０】
本発明は、前記申込登録サーバーは前記第１の受信手段が受信した前記申込データを記憶する申込データ記憶手段をさらに備えた申込登録サーバーを提供して、上記課題を解決するものである。
【００２１】
本発明は、前記サービス利用は、口座開設、クレジットカードの利用、ローンカードの利用のいずれかである申込登録サーバーを提供して、上記課題を解決するものである。
【００２２】
本発明は、前記端末識別情報は、前記端末装置に設定されたＩＰアドレスである申込登録サーバーを提供して、上記課題を解決するものである。
【００２３】
本発明は、前記端末識別情報チェック手段は、前記端末装置に設定されたＩＰアドレスが日本国に割り当てられたＩＰアドレスか否かをチェックする申込登録サーバーを提供して、上記課題を解決するものである。
【００２４】
本発明は、申込者の端末装置から入力されるサービス利用の申し込みに必要なデータに基づいてサービス利用の申込登録を行う方法において、端末識別情報取得手段が前記端末装置を識別する端末識別情報を取得し、申込データ入力手段がサービス利用の申込データを入力し、証明書データ入力手段がサービス利用に必要な証明書データを入力し、第１の送信手段が、前記端末識別情報取得手段が取得した前記端末識別情報、前記申込データ入力手段から入力される申込データ及び前記証明書データ入力手段から入力される証明書データを送信し、第１の受信手段が、前記第１の送信手段から送信される前記端末識別情報、前記申込データ及び前記証明書データを受信し、端末識別情報チェック手段が、前記第１の受信手段が受信した前記端末識別情報が所定の範囲にあるか否かをチェックし、真偽判定手段が、前記第１の受信手段が受信した前記証明書データの真偽を判定し、サービス利用登録候補データ出力手段が、前記第１の受信手段が受信した前記申込データ及び前記証明書データに、前記端末識別情報チェック手段のチェック結果と前記真偽判定手段の判定結果を付加したサービス利用登録候補データを出力するステップを備えた不正申込防止方法を提供して、上記課題を解決するものである。
【００２５】
本発明は、申込者の端末装置から入力されるサービス利用の申し込みに必要なデータに基づいてサービス利用の申込登録を行う方法において、端末識別情報取得手段が前記端末装置を識別する端末識別情報を取得し、申込データ入力手段がサービス利用の申込データを入力し、証明書データ入力手段がサービス利用に必要な証明書データを入力し、第１の送信手段が、前記端末識別情報取得手段が取得した前記端末識別情報、前記申込データ入力手段から入力される申込データ及び前記証明書データ入力手段から入力される証明書データを送信し、第１の受信手段が、前記第１の送信手段から送信される前記端末識別情報、前記申込データ及び前記証明書データを受信し、端末識別情報チェック手段が、前記第１の受信手段が受信した前記端末識別情報が所定の範囲にあるか否かをチェックし、真偽判定手段が、前記第１の受信手段が受信した前記証明書データの真偽を判定し、第２の送信手段が、前記第１の受信手段が受信した前記申込データ及び前記証明書データに、前記端末識別情報チェック手段のチェック結果と前記真偽判定手段の判定結果を付加したサービス利用登録候補データを送信し、第２の受信手段が前記第２の送信手段から送信されるサービス利用登録候補データを受信し、注意喚起情報生成手段が、前記第２の受信手段が受信した前記サービス利用登録候補データの前記チェック結果に基づいて注意を喚起する情報を生成し、データ選択手段が、前記第２の受信手段が受信した前記サービス利用登録候補データをサービス利用登録データとするか否かを選択するステップを備えた不正申込防止方法を提供して、上記課題を解決するものである。
【００２６】
本発明は、サービス利用登録データ記憶手段が、前記データ選択手段が選択した前記サービス利用登録データを記憶し、カード発行データ生成手段が、前のサービス利用登録データ記憶手段に記憶された前記サービス利用登録データに基づいてカード発行データを生成するステップをさらに備えた不正申込防止方法を提供して、上記課題を解決するものである。
【００２７】
本発明は、申込者の端末装置から入力されるサービス利用の申し込みに必要なデータに基づいてサービス利用の申込登録を行う方法において、第１の受信手段が、前記端末装置を識別する端末識別情報、及び前記端末装置から送信されるサービス利用に必要な申込データと証明書データを受信し、端末識別情報チェック手段が、前記第１の受信手段が受信した前記端末識別情報が所定の範囲にあるか否かをチェックし、真偽判定手段が、前記第１の受信手段が受信した前記証明書データの真偽を判定し、サービス利用登録候補データ出力手段が、前記第１の受信手段が受信した前記申込データ及び前記証明書データに、前記端末識別情報チェック手段のチェック結果と前記真偽判定手段の判定結果を付加したサービス利用登録候補データを出力するステップを備えた不正申込防止方法を提供して、上記課題を解決するものである。
【００２８】
本発明は、申込データ記憶手段が、前記第１の受信手段が受信した前記申込データを記憶するステップをさらに備えた不正申込防止方法を提供して、上記課題を解決するものである。
【００２９】
本発明は、前記証明書データは、前記端末装置に取り付けられたカメラで撮影された運転免許証の画像データである不正申込防止方法を提供して、上記課題を解決するものである。
【００３０】
本発明は、前記サービス利用は、口座開設、クレジットカードの利用、ローンカードの利用のいずれかである不正申込防止方法を提供して、上記課題を解決するものである。
【００３１】
本発明は、前記端末識別情報は、前記端末装置に設定されたＩＰアドレスである不正申込防止方法を提供して、上記課題を解決するものである。
【００３２】
本発明は、前記端末識別情報チェック手段が、前記第１の受信手段が受信した前記端末識別情報が所定の範囲にあるか否かをチェックするステップは、前記端末識別情報チェック手段が、前記第１の受信手段が受信したＩＰアドレスが日本国に割り当てられたＩＰアドレスか否かをチェックするステップである不正申込防止方法を提供して、上記課題を解決するものである。
【００３３】
本発明は、前記不正申込防止方法をコンピュータに実行させるプログラムを提供して、上記課題を解決するものである。
【発明の効果】
【００３４】
請求項１に記載の発明の不正申込防止システムにおいては、特定の地域からの口座開設の申込を制限することなく、特定の地域からの不正な申込を有効に防止できるという効果を奏する。
【００３５】
請求項２に記載の発明の不正申込防止システムにおいては、汎用性の高い携帯端末装置に取り付けられたカメラから前記証明書データが入力された場合に上記効果を奏する。
【００３６】
請求項３に記載の発明の不正申込防止システムにおいては、前記証明書データが最も頻繁に使用される運転免許証の画像データの場合に上記効果を奏する。
【００３７】
請求項４に記載の発明の不正申込防止システムにおいては、さらに、送信先にサービス利用登録候補データが送られるという効果を奏するという効果を奏する。
【００３８】
請求項５に記載の発明の不正申込防止システムにおいては、さらに、前記申込登録サーバー側でサービス利用の申込データが管理できるという効果を奏する。
【００３９】
請求項６に記載の発明の不正申込防止システムにおいては、特定の地域からの口座開設の申込を制限することなく、特定の地域からの不正な申込を有効に防止できるという効果を奏する。
【００４０】
請求項７に記載の発明の不正申込防止システムにおいては、さらに、真正な申込データからカード発行データを生成されるという効果を奏する。
【００４１】
請求項８に記載の発明の不正申込防止システムにおいては、口座開設、クレジットカードの利用、ローンカードの利用の際に上記効果を奏する。
【００４２】
請求項９に記載の発明の不正申込防止システムにおいては、さらに、前記端末装置が特定地域で使用されたものであるか否かが容易にチェックできるという効果を奏する。
【００４３】
請求項１０に記載の発明の不正申込防止システムにおいては、請求項９に記載の発明と同様の効果を奏する。
【００４４】
請求項１１に記載の発明の申込登録サーバーにおいては、特定の地域からの口座開設の申込を制限することなく、特定の地域からの不正な申込を有効に防止できるという効果を奏する。
【００４５】
請求項１２に記載の発明の申込登録サーバーにおいては、前記証明書データが最も頻繁に使用される運転免許証の画像データの場合に上記効果を奏する。
【００４６】
請求項１３に記載の発明の申込登録サーバーにおいては、さらに、送信先にサービス利用登録候補データが送られるという効果を奏するという効果を奏する。
【００４７】
請求項１４に記載の発明の申込登録サーバーにおいては、サービス利用の申込データが管理できるという効果を奏する。
【００４８】
請求項１５に記載の発明の申込登録サーバーにおいては、口座開設、クレジットカードの利用、ローンカードの利用の際に上記効果を奏する。
【００４９】
請求項１６に記載の発明の申込登録サーバーにおいては、さらに、前記端末装置が特定地域で使用されたものであるか否かが容易にチェックできるという効果を奏する。
【００５０】
請求項１７に記載の発明の申込登録サーバーにおいては、請求項１６に記載の発明と同様の効果を奏する。
【００５１】
請求項１８に記載の発明の不正申込防止方法においては、特定の地域からの口座開設の申込を制限することなく、特定の地域からの不正な申込を有効に防止できるという効果を奏する。
【００５２】
請求項１９に記載の発明の不正申込防止方法においては、特定の地域からの口座開設の申込を制限することなく、特定の地域からの不正な申込を有効に防止できるという効果を奏する。
【００５３】
請求項２０に記載の発明の不正申込防止方法においては、さらに、真正な申込データからカード発行データを生成されるという効果を奏する。
【００５４】
請求項２１に記載の発明の不正申込防止方法においては、特定の地域からの口座開設の申込を制限することなく、特定の地域からの不正な申込を有効に防止できるという効果を奏する。
【００５５】
請求項２２に記載の発明の不正申込防止方法においては、さらに、前記申込登録サーバー側でサービス利用の申込データが管理できるという効果を奏する。
【００５６】
請求項２３に記載の発明の不正申込防止方法においては、前記証明書データが最も頻繁に使用される運転免許証の画像データの場合に上記効果を奏する。
【００５７】
請求項２４に記載の発明の不正申込防止方法においては、口座開設、クレジットカードの利用、ローンカードの利用の際に上記効果を奏する。
【００５８】
請求項２５に記載の発明の不正申込防止方法においては、さらに、前記端末装置が特定地域で使用されたものであるか否かが容易にチェックできるという効果を奏する。
【００５９】
請求項２６に記載の発明の不正申込防止方法においては、請求項２５に記載の発明と同様の効果を奏する。
【００６０】
請求項２７に記載の発明のプログラムにおいては、前記不正申込防止方法の発明と同様の効果を奏する。
【図面の簡単な説明】
【００６１】
【図１】本発明の不正申込防止システムの一実施形態の全体構成の外観を示す外観構成図である。
【図２】図１の携帯端末装置１０及び申込登録サーバー２０の機能構成を示すブロック図である。
【図３】送信部２６が送信するサービス利用登録候補データの一例を説明した説明図である。
【図４】図１のサービス利用登録サーバー３０の機能構成を示すブロック図である。
【図５】不正申込防止システム１の動作の概要を示したフローチャートである。
【図６】携帯端末装置１０の動作を示したフローチャートである。
【図７】申込登録サーバー２０の動作を示したフローチャートである。
【図８】サービス利用登録サーバー３０の動作を示したフローチャートである。
【発明を実施するための形態】
【００６２】
［不正申込防止システムの全体構成］
まず、本発明の不正申込防止システムの全体構成について説明する。
図１は、本発明の不正申込防止システムの一実施形態の全体構成の外観を示す外観構成図である。図中、１は不正申込防止システム、２は口座開設に必要な証明書、３、４は通信回線、１０は本発明の端末装置である携帯端末装置、２０は申込登録サーバー、３０はサービス利用登録サーバーである。
図に示すように、不正申込防止システム１は、携帯端末装置１０、申込登録サーバー２０及びサービス利用登録サーバー３０から構成され、携帯端末装置１０は、通信回線３を介して申込登録サーバー２０に接続され、申込登録サーバー２０は、通信回線４を介してサービス利用登録サーバー３０に接続されている。
証明書２は、口座開設に必要な本人確認資料となるもので、運転免許証、保険証、住基カード、パスポート、その他ＩＤカード等が使用され、本実施形態では、運転免許証が使用されている。
【００６３】
図２は、図１の携帯端末装置１０及び申込登録サーバー２０の機能構成を示すブロック図であり、図中、１１は本発明の申込データ入力手段となる申込データ入力部、１２は申込データ保存部、１３は本発明の証明書データ入力手段となるカメラ、１４は画像データ保存部、１５は本発明の端末識別情報取得手段となる端末識別情報取得部、１６は本発明の第１の送信手段となる送信部、２１は本発明の第１の受信手段となる受信部、２２は本発明の真偽判定手段となる真偽判定部、２３は本発明の端末識別情報チェック手段となる端末識別情報チェック部、２４は申込・画像データ登録部、２５は本発明の申込データ記憶手段として機能する申込・画像データ記憶部であり、２６は本発明の第２の送信手段となる送信部である。
【００６４】
［携帯端末装置１０］
図２に示すように、携帯端末装置１０は、申込データ入力部１１、申込データ保存部１２、カメラ１３、画像データ保存部１４、端末識別情報取得部１５、送信部１６等から構成される。
申込データ入力部１１は、携帯端末装置１０の表示画面（図示せず）に表示された所定のフォーマットからなる入力画面（図示せず）等から構成され、申込者は、この入力画面から口座開設やカード利用等のサービス利用（以下「口座開設等」という。）の申込をするために必要な事項を入力する。この申込データ入力部１１から入力された事項は、申込データとして申込データ保存部１２に一旦保存される。
カメラ１３は、携帯端末装置１０に取り付けられ、証明書（運転免許証）２の表面を撮影し、そこに記載されている事項等を画像データとして携帯端末装置１０に取り込む。このカメラ１１で撮影されて取り込まれた証明書（運転免許証）２の画像データは、本人確認用資料となる証明書データとして画像データ保存部１４に一旦保存される。
端末識別情報取得部１５は、携帯端末装置１０を他の携帯端末装置１０から識別するために、携帯端末装置１０に設定された端末識別情報を取得する。
送信部１５は、申込データ保存部１２に一旦保存された申込データ、画像データ保存部１４に一旦保存された運転免許証の画像データ（証明書データ）と、及び、端末識別情報取得部１５が取得した端末識別情報を、通信回線３を介して申込登録サーバー２０に送信する。
【００６５】
［証明書データ］
本実施形態においては、口座開設等の申込者の本人確認用資料として運転免許証を使用し、運転免許証をカメラ１３で撮影して得られた画像データを証明書データとしている。運転免許証は、口座開設等の申込者の多くが所有し、他の証明書に比較して偽造しにくく、また真偽判定も比較的容易であることから、本発明に使用する証明書（データ）に適している。
なお、本発明における証明書データは、運転免許証の画像データに限定されるものではなく、保険証、パスポート等に記載された事項をカメラで撮影した画像データでもよく、ＩＣカード運転免許証や住基カード等のＩＣチップに書き込まれたデータでもよい。
【００６６】
［端末識別情報］
端末識別情報は、携帯端末装置１０を他の携帯端末装置１０から識別するために、携帯端末装置１０（搭載されたソフトウエアを含む）に設定（付与）されたユニークな情報である。
この端末識別情報としては、ＩＰアドレス、ＵＵＩＤ（Universally Unique Identifier）、ＭＡＣアドレス等がある。
ＩＰアドレスは、インターネット等のＩＰネットワークに接続されたコンピュータや通信機器１台１台に割り当てられた識別番号であり、例えば、「１９２．１６８．０．１」のようにドット付き十進表記あるいはドットアドレス]と呼ばれる０−２５５の数字４組（８ビット × ４  = ３２ビット）をドットで繋いだ記法で表記される。
このＩＰアドレスは、国毎に割り当てる範囲が決められているため、どの国の携帯端末装置からアクセスされたかを容易に特定することができる。
ＵＵＩＤは、ソフトウェアを一意に識別するための識別子であり、例えば、「550e8400-e29b-41d4-a716-446655440000」のように１６進数の数値で表記される。
ＭＡＣアドレスは、ネットワーク上でネットワーク機器のハードウェアに一意に割り当てられる物理アドレスであり、例えば、04-A3-43-5F-43-23や32:61:3C:4E:B6:05といったオクテットで区切り、１６進数で表記される。
本実施形態においては、端末識別情報として、携帯端末装置１０が使用された国の特定が容易なＩＰアドレスを使用する。
【００６７】
［申込登録サーバー２０］
図２に示すように、申込登録サーバー２０は、受信部２１、真偽判定部２２、端末特定情報チェック部２３、申込・画像データ登録部２４、申込・画像データ記憶部２５、及び送信部２６等から構成される。
受信部２１は、携帯端末装置１０の送信部１６から通信回線３を介して送信された申込データ、運転免許証の画像データ（証明書データ）、ＩＰアドレス（端末識別情報）等を受信する。
受信部２１が受信した各データのうち、画像データ（証明書データ）は真偽判定部２２に送られ、ＩＰアドレス（端末識別情報）は、端末特定情報チェック部２３に送られ、申込データと画像データ（証明書データ）は申込・画像データ登録部２２に送られる。
真偽判定部２２は、受信部２１から送られてくる画像データ（証明書データ）の真偽判定を行う。具体的には、画像データ（証明書データ）のＯＣＲ処理により画像データから文字・記号等を認識し、認識した文字・記号等が所定のルールに適合するかを判定する。例えば、運転免許証番号が採番ルールに準じたものであるか、生年月日と取得年が適正か、住所の都道府県と公安委員会の整合性が取れているかを判定する。
そして、真偽判定部２２は、認識した文字・記号等が所定のルールに適合する場合は「偽造の疑いなし」として「０」の判定結果を出し、認識した文字・記号等が所定のルールに適合ない場合は「偽造の疑いあり」として「１」の判定結果を出し、この判定結果を送信部２６に送る。
端末特定情報チェック部２３は、受信部２１から送られてくるＩＰアドレスが所定の範囲にあるか、例えば、ＩＰアドレスが日本国に割り当てられた範囲にあるか否かをチェックし、所定の範囲にあれば「０」のチェック結果を出し、所定の範囲になければ「１」のチェック結果を出し、このチェック結果を送信部２６に送る。
申込・画像データ登録部２２は、受信部２１から送られてくる申込データと画像データ（証明書データ）を申込・画像データ記憶部２６に記憶させると共に、送信部２６に送る。
送信部２６は、申込・画像データ登録部２４からの申込データと画像データ（証明書データ）に、真偽判定部２２からの判定結果と端末特定情報チェック部２３からのチェック結果を付加し、これをサービス利用登録候補データとして、通信回線４を介してサービス利用登録サーバー３０に送信する。
【００６８】
［サービス利用登録候補データ］
図３は、送信部２６が送信するサービス利用登録候補データの一例を説明した説明図である。
図３に示すように、サービス利用登録候補データは、「申込Ｎｏ」、「申込データ」、「画像データ」、「判定結果」、「チェック結果」より構成される。
「申込Ｎｏ」は、口座開設申込等のサービス利用の申込を特定するためＮｏである。
「申込データ」は、携帯端末装置１０の申込データ入力部１３から入力された申込者の住所、氏名等の申込者を特定するためのデータである。
「画像データ」は、携帯端末装置１０のカメラ１３で撮影されて入力された運転免許証の画像データ（証明書データ）である。
「判定結果」は、真偽判定部２２が行った画像データ（証明書データ）の真偽判定結果である。
「チェック結果」は、端末特定情報チェック部２３が行ったチェック結果、すなわち、受信部２１から送られてくるＩＰアドレスが所定の範囲（例えば、日本国に割り当てられた範囲）にあるか否かのチェック結果である。
図３において、申込Ｎｏ「０００１」の判定結果は「０」（偽造の疑いなし）、チェック結果は「０」（ＩＰアドレスは所定の範囲内）、申込Ｎｏ「０００２」の判定結果は「０」（偽造の疑いなし）、チェック結果は「１」（ＩＰアドレスは所定の範囲外）、申込Ｎｏ「０００３」の判定結果は「１」（偽造の疑いあり）、チェック結果は「１」（ＩＰアドレスは所定の範囲外））となっている。
【００６９】
［サービス利用登録サーバー３０］
図４は、図１のサービス利用登録サーバー３０の機能構成を示すブロック図であり、図中、３１は本発明の第２の受信手段となる受信部、３２はサービス利用登録候補データ保存部、３３は本発明の注意喚起情報生成手段となる注意喚起情報生成部、３４は表示部、３５は本発明のデータ選択手段となるデータ選択部、３６はサービス利用登録データ登録部、３７は本発明のサービス利用登録データ記憶手段となるサービス利用登録データ記憶部、３８は本発明のカード発行データ生成手段となるカード発行データ生成部、３９は送信部である。
受信部３１は、申込登録サーバー２０の送信部２６から送信されるサービス利用登録候補データを受信し、サービス利用登録候補データ保存部３２に送る。
サービス利用登録候補データ保存部３２は、受信部３１から送られてきた  サービス利用登録候補データを一時的に保存する。
注意喚起情報生成部３３は、サービス利用登録候補データ保存部３２に保存されたサービス利用登録候補データのうち、チェック結果は「１」（ＩＰアドレスは所定の範囲外）のものに対して、注意を喚起する情報を生成する。
表示部３４は、サービス利用登録候補データ保存部３２に保存されたサービス利用登録候補データ（申込Ｎｏ、申込データ、画像データ、判定結果、チェック結果）と、注意喚起情報生成部３３が生成した注意を喚起する情報（例えば、サービス提供者側の確認者の目を引く特定のマーク等）を表示する。
これにより、不正な申込をチェックする者（確認判断者）は、表示部３４に注意を喚起する情報が表示されたサービス利用登録候補データについて、申込データと画像データ（証明書データ）が不正なものであるかをより注意して判断することができる。
【００７０】
データ選択部３５は、サービス利用登録候補データ保存部３２に保存されたサービス利用登録候補データをサービス利用登録データとするかを選択し、選択したサービス利用登録候補データをサービス利用登録データ登録部３６に送る。具体的には、データ選択部３５は、確認判断者が不正申込であると判断したサービス利用登録候補データを、この確認判断者の操作により削除し、削除しなかったサービス利用登録候補データをサービス利用登録データ登録部３６に送る。
サービス利用登録データ登録部３６は、データ選択部３５が選択したサービス利用登録候補データを真正な申込データとしてサービス利用登録データ記憶部３７に記憶する。
カード発行データ生成部３８は、サービス利用登録データ記憶部３７に記憶された申込データからカード発行データを生成する。
そして、カード発行処理部（図示せず）が、カード発行データ生成部３８が生成したカード発行データに基づいてカード発行処理を行う。
【００７１】
［不正申込防止システム１の動作の概要］
図５は、不正申込防止システム１の動作の概要を示したフローチャートである。
図に示すように、不正申込防止システム１の動作は、携帯端末装置１０において、申込データ、画像データ（証明書データ）の入力、ＩＰアドレス（端末識別情報）の取得等を行うステップ（Ｓ１）、申込登録サーバー２０において、画像データの真偽判定、ＩＰアドレス（端末識別情報）のチェック、サービス利用登録候補データの送信等を行うステップ（Ｓ２）、サービス利用登録サーバー３０において、注意喚起情報の生成、サービス利用登録用データの選択・記憶、カード発行データの生成等を行うステップ（Ｓ３）からなっている。
以下、携帯端末装置１０、申込登録サーバー２０及びサービス利用登録サーバー３０の動作を説明する。
【００７２】
［携帯端末装置１０の動作］
図６は、携帯端末装置１０の動作を示したフローチャートである。以下、携帯端末装置１０の動作を説明する。
まず、端末識別情報取得部１５が、携帯端末装置１０に設定されたＩＰアドレス（端末識別情報）を取得する（Ｓ１０）。
次いで、申込データ入力部１１が、口座開設等の申込をするために必要な申込データを入力し、入力した申込データは、一旦申込データ保存部１２に保存される（Ｓ１１）。
次いで、カメラ１３が、証明書（運転免許証）２の表面を撮影し、そこに記載されている事項等を画像データ（証明書データ）として入力し、入力した画像データは画像データ保存部１４に一旦保存される（Ｓ１２）。
最後に、送信部１６が、申込データ保存部１２に一旦保存された申込データ、画像データ保存部１４に一旦保存された運転免許証の画像データ（証明書データ）、及び、端末識別情報取得部１５が取得したＩＰアドレスを、通信回線３を介して申込登録サーバー２０に送信する（Ｓ１３）。
【００７３】
［申込登録サーバー２０の動作］
図７は、申込登録サーバー２０の動作を示したフローチャートである。以下、申込登録サーバー２０の動作を説明する。
まず、受信部２１が、携帯端末装置１０から送信される申込データ、画像データ（証明書データ）及びＩＰアドレス（端末識別情報）を受信する（Ｓ２０）。
次いで、端末特定情報チェック部２３が、受信部２１から送られてくるＩＰアドレスが所定の範囲にあるかのチェックを行う（Ｓ２１）。
具体的には、端末特定情報チェック部２３は、ＩＰアドレスが日本国に割り当てられた範囲にあるか否かをチェックし、所定の範囲にあれば「０」のチェック結果を出し、所定の範囲になければ「１」のチェック結果を出す。
次いで、真偽判定部２２が、画像データ（証明書データ）の真偽判定を行う（Ｓ２２）。この画像データ（証明書データ）の真偽判定は、画像データから文字・記号等を認識し、認識した文字・数字・記号等が所定のルールに適合するかを判定することにより行う。
そして、真偽判定部２２は、認識した文字・記号等が所定のルールに適合する場合は「０」（偽造の疑いなし）の判定結果を出し、認識した文字・記号等が所定のルールに適合ない場合は「１」（偽造の疑いあり）の判定結果を出す。
次いで、申込・画像データ登録部２２が、受信部２１から送られてくる申込データと画像データ（証明書データ）を申込・画像データ記憶部２６に記憶させる（Ｓ２３）。
最後に、送信部２６が、申込・画像データ登録部２４からの申込データと画像データ（証明書データ）に、真偽判定部２２からの判定結果と端末特定情報チェック部２３からのチェック結果を付加し、これをサービス利用登録候補データとして、通信回線４を介してサービス利用登録サーバー３０に送信する（Ｓ２４）。
【００７４】
［サービス利用登録サーバー３０の動作］
図８は、サービス利用登録サーバー３０の動作を示したフローチャートである。以下、サービス利用登録サーバー３０の動作を説明する。
まず、受信部３１が、申込登録サーバー２０から送信されるサービス利用登録候補データを受信し、受信したサービス利用登録候補データはサービス利用登録候補データ保存部３２を一時的に保存される（Ｓ３０）。
次いで、注意喚起情報生成部３３が、サービス利用登録候補データ保存部３２に保存されたサービス利用登録候補データのうち、チェック結果が「１」（ＩＰアドレスは所定の範囲外）のものに対して、注意を喚起する情報を生成する（Ｓ３１）。
次いで、表示部３４が、サービス利用登録候補データ保存部３２に保存されたサービス利用登録候補データ（申込データ、画像データ、判定結果、チェック結果等）と、注意喚起情報生成部３３が生成した注意を喚起する情報（例えば、サービス提供者側の確認者の目を引く特定のマーク等）を表示する（Ｓ３２）。
次いで、データ選択部３５が、確認判断者の操作により、サービス利用登録候補データ保存部３２に保存されたサービス利用登録候補データをサービス利用登録用データとするかを選択し、サービス利用登録データ登録部３６が、データ選択部３５が選択したサービス利用登録候補データを真正な申込データとしてサービス利用登録データ記憶部３７に記憶する（Ｓ３３）。
最後に、カード発行データ生成部３８が、サービス利用登録データ記憶部３７に記憶された申込データからカード発行データを生成し、カード発行処理部（図示せず）が、カード発行データ生成部３８が生成したカード発行データに基づいてカード発行処理を行い（Ｓ３４）、処理を終了する。
【産業上の利用可能性】
【００７５】
本発明の不正申込防止システム、申込登録サーバー、不正申込防止方法及びプログラムは、申込者の端末装置から口座開設等の申し込みに必要なデータを入力し、このデータに基づいて口座開設等の申込登録を行うシステムにおいて、特定の地域からの口座開設の申込を制限することなく、特定の地域からの不正な申込を有効に防止できる。
【符号の説明】
【００７６】
１  不正申込防止システム
２  証明書（運転免許証）
３、４  通信回線
１０  端末装置（携帯端末装置）
１１  申込データ入力部
１２  申込データ保存部
１３  カメラ
１４  画像データ保存部
１５  端末識別情報取得部
１６  送信部
２１  受信部
２２  真偽判定部
２３  端末識別情報チェック部
２４  申込・画像データ登録部
２５  申込・画像データ記憶部であり
２６  送信部
３１  受信部
３２  サービス利用登録候補データ保存部
３３  注意喚起情報生成部
３４  表示部
３５  データ選択部
３６  サービス利用登録データ登録部
３７  サービス利用登録データ記憶部
３８  カード発行データ生成部
３９  送信部
【図１】
2017215815.tif 000003
【図２】
2017215815.tif 000004
【図３】
2017215815.tif 000005
【図４】
2017215815.tif 000006
【図５】
2017215815.tif 000007
【図６】
2017215815.tif 000008
【図７】
2017215815.tif 000009
【図８】
2017215815.tif 000010